【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
連結された第1筐体と第２筐体とを備え、当該第１筐体と第２筐体とは互いに重ね合わせて閉じた状態あるいは開いた状態に開閉可能な電子機器であって、
前記第１筐体の側面の特定箇所に第１キーが設けられ、
前記第２筐体の側面であって、当該第２筐体を前記第１筐体に重ねて閉じた状態で当該第１筐体の第１キーと同一側面に位置し、当該第１キーと近傍する箇所に第２キーを設けた、ことを特徴とする携帯電子機器。
【請求項２】
前記第１筐体の表面には、当該第１筐体と前記第２筐体とを閉じた時には隠され、開いた時には露出される複数のキー機能を有した操作部が設けられ、前記第１キーは当該操作部に含まれるキー機能の内で第１機能の指示を行い、前記第２キーは当該操作部に含まれるキー機能の内で前記第１機能に関連する第２機能の指示を行う、ことを特徴とする請求項１記載の携帯電子機器。
【請求項３】
前記第１キーにおける第１機能と前記第２キーにおける第２機能とは、互いに異なる方向を指示する機能である、ことを特徴とする請求項２記載の携帯電子機器。
【請求項４】
前記第１キーにおける第１機能と前記第２キーにおける第２機能とは、特定モード時における複数の機能の内の何れかの機能であり、前記第１筐体と第２筐体とを重ね合わせて閉じた状態にある時は、前記操作部で指示可能な前記複数の機能の内の何れかの機能を、前記第１キーと第２キーとで指示可能である、ことを特徴とする請求項２記載の携帯電子機器。
【請求項５】
前記第１筐体と当該第２筐体とは開閉軸を介して折り畳み式で開閉可能に設けられ、更に当該開閉軸とは直交する軸方向で当該第２筐体の表面と裏面とを反転可能にする回動軸が設けられ、当該第２筐体の裏面である第１面を外側にして前記第１筐体に対して折り畳んだ状態で当該第２筐体の第２キーは、前記第１筐体の第１キーと同一側面に位置し、当該第２筐体の第１面を内側にして前記第１筐体に対して折り畳んだ状態で当該第２筐体の第２キーは、前記第１筐体の第１キーとは反対の側面に位置する、ことを特徴とする請求項１記載の携帯電子機器。
【請求項６】
前記第２筐体の裏面である第１面には表示部が設けられ、当該第２筐体は当該表示部を外側あるいは内側にして前記第１筐体に対して折り畳めるように回動可能に設けられ、当該第２筐体の表示部を外側にして折り畳んだ状態では当該第２筐体の第２キーは、前記第１筐体の第１キーと同一側面に位置し、当該第２筐体の表示部を内側にして折り畳んだ状態で当該第２筐体の第２キーは、前記第１筐体の第１キーとは反対の側面に位置する、ことを特徴とする請求項１記載の携帯電子機器。
【請求項７】
開閉軸を介して折り畳み可能に連結された第1筐体と第２筐体とを備え、当該第２筐体には表示部が設けられ、当該第２筐体は当該表示部が外側あるいは内側にして前記第１筐体に対して折り畳めるように回動可能に設けられた携帯電子機器であって、
前記第１筐体の一方の側面に側面キーを設け、
前記第２筐体には、当該第２筐体の表示部を内側にして折り畳んだ状態では前記第１筐体の側面キーとは反対側の側面になり、当該第２筐体の表示部を外側にして折り畳んだ状態では前記第１筐体の側面キーと同一側の側面に位置する側面キーを設け、
前記第２筐体の表示部を内側にして折り畳んだ状態では、前記第１筐体の側面キーと前記第２筐体の側面キーとを両側面から個別に操作できるようにし、前記第２筐体の表示部を外側にして折り畳んだ状態では、前記第１筐体の側面キーと前記第２筐体の側面キーとを同一側面側で操作できるようにした、ことを特徴とする携帯電子機器。 
【手続補正２】
【補正対象書類名】明細書
【補正対象項目名】発明の名称
【補正方法】変更
【補正の内容】
【発明の名称】携帯電子機器
【手続補正３】
【補正対象書類名】明細書
【補正対象項目名】０００１
【補正方法】変更
【補正の内容】
【０００１】
本発明は、第１筐体と第２筐体とが開閉可能に連結された携帯電子機器に関する。 
【手続補正４】
【補正対象書類名】明細書
【補正対象項目名】０００３
【補正方法】変更
【補正の内容】
【０００３】
十字キーの場合、四つのキー接点を設ける必要があるが、上記特許文献１に記載の携帯電話機のように十字キーを第二の筐体の側面に設ける構成では、四つのキー接点間の距離を十分に取ることができず、誤操作の危険性があった。そのため筐体の厚みを厚くする必要があり、携帯電話機が大型化してしまうという問題があった。
本発明は、開閉可能に連結された第１筐体と第２筐体とを重ねて閉じた状態にある時に、その両筐体の側面でのキー操作をしやすくすることのできる携帯電子機器を提供することを目的としている。
【手続補正５】
【補正対象書類名】明細書
【補正対象項目名】０００４
【補正方法】変更
【補正の内容】
【０００４】
請求項１の発明は、連結された第1筐体と第２筐体とを備え、当該第１筐体と第２筐体とは互いに重ね合わせて閉じた状態あるいは開いた状態に開閉可能な電子機器であって、前記第１筐体の側面の特定箇所に第１キーが設けられ、前記第２筐体の側面であって、当該第２筐体を前記第１筐体に重ねて閉じた状態で当該第１筐体の第１キーと同一側面に位置し、当該第１キーと近傍する箇所に第２キーを設けた、ことを特徴とする。 
【手続補正６】
【補正対象書類名】明細書
【補正対象項目名】０００５
【補正方法】変更
【補正の内容】
【０００５】
請求項２の発明は、請求項１の発明に加えて更に、前記第１筐体の表面には、当該第１筐体と前記第２筐体とを閉じた時には隠され、開いた時には露出される複数のキー機能を有した操作部が設けられ、前記第１キーは当該操作部に含まれるキー機能の内で第１機能の指示を行い、前記第２キーは当該操作部に含まれるキー機能の内で前記第１機能に関連する第２機能の指示を行う、ことを特徴とする。
請求項３の発明は、請求項２の発明に加えて更に、前記第１キーにおける第１機能と前記第２キーにおける第２機能とは、互いに異なる方向を指示する機能である、ことを特徴とする。
請求項４の発明は、請求項２の発明に加えて更に、前記第１キーにおける第１機能と前記第２キーにおける第２機能とは、特定モード時における複数の機能の内の何れかの機能であり、前記第１筐体と第２筐体とを重ね合わせて閉じた状態にある時は、前記操作部で指示可能な前記複数の機能の内の何れかの機能を、前記第１キーと第２キーとで指示可能である、ことを特徴とする。 
【手続補正７】
【補正対象書類名】明細書
【補正対象項目名】０００６
【補正方法】変更
【補正の内容】
【０００６】
請求項５の発明は、請求項１の発明に加えて更に、前記第１筐体と当該第２筐体とは開閉軸を介して折り畳み式で開閉可能に設けられ、更に当該開閉軸とは直交する軸方向で当該第２筐体の表面と裏面とを反転可能にする回動軸が設けられ、当該第２筐体の裏面である第１面を外側にして前記第１筐体に対して折り畳んだ状態で当該第２筐体の第２キーは、前記第１筐体の第１キーと同一側面に位置し、当該第２筐体の第１面を内側にして前記第１筐体に対して折り畳んだ状態で当該第２筐体の第２キーは、前記第１筐体の第１キーとは反対の側面に位置する、ことを特徴とする。
請求項６の発明は、請求項１の発明に加えて更に、前記第２筐体の裏面である第１面には表示部が設けられ、当該第２筐体は当該表示部を外側あるいは内側にして前記第１筐体に対して折り畳めるように回動可能に設けられ、当該第２筐体の表示部を外側にして折り畳んだ状態では当該第２筐体の第２キーは、前記第１筐体の第１キーと同一側面に位置し、当該第２筐体の表示部を内側にして折り畳んだ状態で当該第２筐体の第２キーは、前記第１筐体の第１キーとは反対の側面に位置する、ことを特徴とする。 
【手続補正８】
【補正対象書類名】明細書
【補正対象項目名】０００７
【補正方法】変更
【補正の内容】
【０００７】
請求項７の発明は、開閉軸を介して折り畳み可能に連結された第1筐体と第２筐体とを備え、当該第２筐体には表示部が設けられ、当該第２筐体は当該表示部が外側あるいは内側にして前記第１筐体に対して折り畳めるように回動可能に設けられた携帯電子機器において、前記第１筐体の一方の側面に側面キーを設け、前記第２筐体には、当該第２筐体の表示部を内側にして折り畳んだ状態では前記第１筐体の側面キーとは反対側の側面になり、当該第２筐体の表示部を外側にして折り畳んだ状態では前記第１筐体の側面キーと同一側の側面に位置する側面キーを設け、前記第２筐体の表示部を内側にして折り畳んだ状態では、前記第１筐体の側面キーと前記第２筐体の側面キーとを両側面から個別に操作できるようにし、前記第２筐体の表示部を外側にして折り畳んだ状態では、前記第１筐体の側面キーと前記第２筐体の側面キーとを同一側面側で操作できるようにした、ことを特徴とする。 
【手続補正９】
【補正対象書類名】明細書
【補正対象項目名】０００８
【補正方法】変更
【補正の内容】
【０００８】
本発明によれば、開閉可能に連結された第１筐体と第２筐体とからなる携帯電子機器を、互いに重ねて閉じた状態にある時に、その両筐体の側面でのキー操作をしやすくすることができる。